(57)【要約】【課題】衝撃に対して割れにくく地雷の撤去作業にも使用でき、良好な視界が得られ、眼鏡をかけたまま装着可能な顔防護面を提供することを目的とする。【解決手段】顔防護面（顔面マスク）において、顔防護面は透明面体と、顔面にこの顔防護面を装着する装着部とを備え、透明面体はベース面部と凸部とを備え、ベース面部から両眼付近に向けて連続的に曲面隆起させて凸部を形成し、凸部は凸部裾部と凸部頭頂面からなり、凸部頭頂面には開口部又は両眼カバー部を設け、顔防護面装着時において使用者の鼻柱と少なくとも凸部との間に空間を形成した。【選択図】  図１
2005270197.tif 000002
【特許請求の範囲】
【請求項１】
顔防護面（顔面マスク）において、顔防護面は透明面体と、顔面にこの顔防護面を装着する装着部とを備え、透明面体はベース面部と凸部とを備え、ベース面部から両眼付近に向けて連続的に曲面隆起させて凸部を形成し、凸部は凸部裾部と凸部頭頂面からなり、凸部頭頂面には開口部又は両眼カバー部を設け、顔防護面装着時において使用者の鼻柱と少なくとも凸部との間に空間を形成していることを特徴とする顔防護面。
【請求項２】
使用者が眼鏡をかけたまま装着できるように凸部に眼鏡フレーム収納空間を形成し、ベース面部と、目尻部分から耳の上にかけた部位の間には眼鏡のつる用空間を形成していることを特徴とする請求項１記載の顔防護面。
【請求項３】
ベース面部には顔防護面装着時に使用者の喉部を覆うようにベース面部から喉カバー部を延在させたことを特徴とする請求項１又は請求項２記載の顔防護面。
【発明の詳細な説明】
【技術分野】
【０００１】
本発明は、顔面を覆うように装着して顔面を防護する顔防護面（顔面マスク）に係る。
【背景技術】
【０００２】
顔防護面は、従来より例えばてんかんの子供が装着し、てんかん発作を起こし倒れ顔面を床などにぶつけた際に顔面を保護する目的で図９に示すような構造のものが使用されている。
このような顔防護面１１０は、体の不自由な老人が装着し、不意に倒れた際に顔面を保護する目的としても使用されている。
この種の顔防護面１１０は、眼に対応した両側の開口部１２１の間に鼻柱部１２２を設けている。
そして、鼻柱部１２２から口部１２３にかけて、折り曲げ形状の角部１２４を設けている。
この顔防護面１１０を装着した使用者が転倒し、顔を床などにぶつけた場合に角部１２４に衝撃が集中してしまうことから顔防護面が割れやすいという問題があった。
また、鼻柱を鼻柱部１２２にあてがっていることから使用者の鼻柱には衝撃が直接伝わる上に、鼻柱部１２２により視界が遮られるという問題があった。
一方、サッカーなどのスポーツ時に鼻を保護する目的で、眼の周囲部分から鼻部分までの小型の顔防護面も用いられている。
しかし、同様に鼻柱部が視界の妨げとなっていた。
更に近年、紛争終了地域における埋設された地雷の撤去作業が行われるようになり、撤去作業従事者の安全確保のための丈夫で使いやすい顔保護面が求められている。
加えて、これまでの顔保護面では眼鏡をかけたままの装着は考慮されておらず、眼鏡をかけたまま装着したいとの要望があった。
【発明の開示】
【発明が解決しようとする課題】
【０００３】
本発明は上記技術的課題に鑑みて、衝撃に対して割れにくく地雷の撤去作業にも使用でき、良好な視界が得られ、眼鏡をかけたまま装着可能な顔防護面を提供することを目的とする。
【課題を解決するための手段】
【０００４】
請求項１記載の発明の技術的要旨は、顔防護面（顔面マスク）において、顔防護面は透明面体と、顔面にこの顔防護面を装着する装着部とを備え、透明面体はベース面部と凸部とを備え、ベース面部から両眼付近に向けて連続的に曲面隆起させて凸部を形成し、凸部は凸部裾部と凸部頭頂面からなり、凸部頭頂面には開口部又は両眼カバー部を設け、顔防護面装着時において使用者の鼻柱と少なくとも凸部との間に空間を形成した点である。
【０００５】
ここで装着部とは、顔防護面を顔面に装着するためのもので例えば、ベース面部と凸部からなる透明面体を顔面にあて、装着部を頭にかぶって装着する。
透明面体は無色透明な硬質樹脂より形成し、例えば、例としてポリカーボネート製が挙げられる。
透明面体のベース面部とは顔を平坦状に覆う防護面部分を意味し、凸部とは装着状態におけるベース面部の両眼にわたる部位付近を連続的に隆起させて形成した隆起部分を意味する。
ベース面部から両眼付近に向けて連続的に曲面隆起させて凸部を形成しとは、透明面体に折り曲げ状の角部を形成しない趣旨である。
よって、外部から衝撃が加わった場合に応力が集中しやすい角部が無く、割れにくくなる。
この透明面体の大きさは、用途に応じて、例えば両眼の周囲を覆い顔の上半面を覆う形状と、両眼の周囲に加えて顔面を額から顎先まで覆う形状が考えられる。
凸部は、透明面体のベース面部から曲面状に裾部を隆起させて、裾部の頂部を結ぶ面を凸部頭頂面とする。
この凸部頭頂面は開口部とするか、もしくは、両眼カバー状に塞ぐ。
カバー部はベース面部及び裾部と一体の透明硬質樹脂にて平滑に形成する。
使用者は、主にこの開口部又はカバー部を通して外を見る。
開口部又はカバー部は両眼間に連続的に形成するため、両眼間の視界が遮られることがない。
顔防護面装着時において、使用者の鼻柱と少なくとも凸部との間に空間を形成しているとは透明面体を顔との間にパッドなどを介して浮かして装着することで鼻柱と透明面体間に空間を形成する趣旨である。
【０００６】
請求項２記載の発明の技術的要旨は、使用者が眼鏡をかけたまま装着できるように凸部に眼鏡フレーム収納空間を形成し、ベース面部と、目尻部分から耳の上にかけた部位の間には眼鏡のつる用空間を形成した点である。
【０００７】
ベース面部と目尻部分から耳の上にかけた部位の間に眼鏡つる用空間を形成する方法としては、透明面体内側の、装着状態における顔のこめかみ位置と頬骨位置に、こめかみ位置パッドと頬骨位置パッドとをそれぞれ取り付ける方法等が挙げられる。
この場合に、こめかみ位置パッドと頬骨位置パッドとはパッドを薄くした薄肉部にて連結すると、薄肉部位置が眼鏡のつるの通る位置となる。
よって、眼鏡のフレーム部分は凸部内に収納し、つる部分はつる用空間を通すことから眼鏡をかけたままの、顔保護面の装着が可能となる。
【０００８】
請求項３記載の発明の技術的要旨は、ベース面部には顔防護面装着時に使用者の喉部を覆うようにベース面部から喉カバー部を延在させた点である。
【０００９】
請求項３記載に係る喉カバー部とは、ベース面部を使用者の顎位置から喉位置まで、顎から喉に沿って延在させて設ける趣旨である。
これにより、例えば着用している防具との間の隙間を防護出来る。
【発明の効果】
【００１０】
本発明に係る顔防護面（顔面マスク）においては、透明面体をベース面部から両眼付近に向けて連続的に曲面隆起させて凸部を形成するように構成したので、衝撃が特定の部位に集中することを防止でき、頑丈な構造となり、顔の防護性が向上する。
透明面体は、装着状態で鼻筋との間に隙間を備えるため、衝撃が加わった際に鼻筋に衝撃が直接伝わることを防止する。
また、これにより両眼間に支柱部を設ける必要がなくなり、良好な視界が得られる。
【００１１】
両眼部分は凸部により顔との間に空間を備え、目尻から耳の上に向けてつる用空間部を備えることで、眼鏡をかけたまま顔防護面の装着ができる。
本発明に係る顔防護面を例えば、ポリカーボネート樹脂で成形すると両眼部分を形成する凸部を両眼カバー部とすることも、切り欠いて開口部とすることも自由であり、ハーフフェイス、フルフェイスタイプも自由である。
【００１２】
ベース面部に喉カバー部を設けると、顔防護面により喉部分も防護できる。
これにより、例えば着用防具と併用した場合に喉部分も隙間なく防護出来る。
【発明を実施するための最良の形態】
【００１３】
本発明に係る顔防護面（顔面マスク）の実施例を図１に示す。
図１は、両眼の周囲を中心とした顔の上半面を覆う顔防護面（ハーフフェイス）の実施例である。
一方、図３は両眼の周囲に加えて顔面を額から顎先まで覆う顔防護面（フルフェイス）の実施例を示す。
まず、図１に示す顔の上半面を覆うハーフフェイスタイプの顔防護面から説明する。
図１（イ）は顔防護面の上面図で、図１（ロ）は正面図で、図１（ハ）は側面図である。
顔防護面１０ａは、ベース面部２１と凸部２３からなる透明面体２０ａと、パッド３０と装着部１１で構成する。
装着部１１は複数のベルト１１ａの両端をそれぞれ透明面体２０ａの両側の縁部の取り付け穴２４に取り付けている。
ベルト１１ａは調整部１１ｃで長さ調整可能となっている。
そして、ベルト１１ａ中央部は連結ベルト１１ｂで連結する。
ベルト１１ａと連結ベルト１１ｂは略網状に連結することで、使用者の頭部を収納装着する。
この装着部１１の構造は一例であって、透明面体２０ａを顔に装着できれば特に限定しない。
透明面体２０ａの構造をわかりやすくするため、装着部１１を省略した図２の分解図にて説明する。
図２（イ）はパッド３０を取り外した透明面体２０ａの上面図で、図２（ロ）はパッドを省略した正面図を示し、図２（ハ）はパッドを取り外した側面図を示す。
図２（ニ）は、図２（ロ）に対応するパッドのみを示している。
図２（ハ）では説明のため奥側のパッドのみを描いている。
透明面体２０ａは無色透明な硬質樹脂製で、例えば例としてポリカーボネート製が挙げられる。
ポリカーボネート製とすると軽く充分な強度が得られる上に、万一破損した場合に破断面がエッジ状態にならないので安全である。
透明面体２０ａにおいてベース面部２１は両眼周辺の顔表面を広く覆う略平坦部分であり、顔の形状に沿っている。
パッド３０は、こめかみ位置パッド３１と頬骨位置パッド３２とを、薄く形成した薄肉部３３で連結してある。
顔防護面１０ａ装着時には、こめかみ位置パッド３１はこめかみに、頬骨位置パッド３２は頬骨位置にそれぞれあてがわれる。
パッド３０は透明面体２０ａ内側に着脱自在部材にて取り付けている。
着脱自在部材とは、例えば面状でフック状の係止部材３５ａを透明面体２０ａの内側に取り付け、パッド３０の透明面体２０ａ側にパイル状係止部材３５ｂを取り付けて着脱自在にすることをいう。
なお、パイル状係止部材３５ｂはパッド３０の表皮として使用してもよい。
【００１４】
図１に示すハーフフェイスタイプの顔保護面１０ａの装着状態を図４に示す。
図４では使用者１は眼鏡４０をかけて顔防護面１０ａを装着している。
使用者１は、装着部１１のベルト１１ａを頭に巻き、止めることで顔保護面を位置決めする。
ベース面部２１は装着時に使用者１の額３位置からこめかみ３ａ位置を経て頬骨位置４を覆い、鼻柱５の中央付近を覆っている。
ベース面部２１が覆う部位は、使用状態に応じて自由に設定すればよく、凸部２３の周りの顔面を覆う形状であれば特に限定されるものではない。
このベース面部２１は、折れ曲がり角部を設けず曲面で連続的に形成している。
一方、凸部２３はベース面部２１の装着時における両眼７ａ、７ｂにわたる部分付近を連続的に隆起させるように曲面で形成する。
図２に示すように、凸部２３はベース面部２１から隆起させた裾部２３ａと、裾部２３ａの頂部２３ｂが縁部となる開口部２３ｃとから形成している。
この開口部２３ｃは裾部頂部２３ｂが縁部となり形成される凸部の頭頂面の必ずしも全体に設けなくてもよい。
凸部２３の隆起形状はなだらかに隆起する略筒状とすると、凸部に負荷した衝撃はベース面部２１に均等に伝搬する。
このように透明面体２０ａは、ベース面部２１を曲面で形成し、凸部２３もベース面部２１から曲面で隆起させている。
よって、外部からの曲げ応力を一部に集中させないで分散させることができる。
つまり、折り曲げ部を形成していないため応力の集中を防止し、衝撃が均等に吸収され、割れにくい構造となっている。
図４に示すように、開口部２３ｃは使用者が外を見るためのもので、両眼７ａ、７ｂ部分にわたり連続的に形成している。
開口部２３ｃは、両眼７ａ、７ｂ部分間に連続的に形成することで両眼間の視界が遮られず、特にスポーツ時の使用に適している。
パッド３０は鼻柱５の両脇の頬骨位置４に頬骨位置パッド３２を配している。
そして、透明面体２０ａと顔２との間にスペーサーとして介在する。
これにより、頬骨位置パッド（３２、３２）間の透明面体２０ａと鼻柱５の間に所定の空間５ａを形成している。
凸部２３及びベース面部２１は装着状態では鼻柱５との間に空間５ａを形成すると、衝撃が直接鼻柱５に伝わらない。
また、この空間５ａが使用者毎の鼻の高さの差を吸収するため、顔防護面１０ａは１つのサイズで男性、女性を問わずに多くの人にそのまま装着できる。
凸部２３の大きさは、眼鏡４０のフレーム４０ａを収納可能な大きさとしている。
【００１５】
パッドと顔との関係の説明図を図８に示す。
図８では透明面体の一部のみを描いている。
パッド３０は顔のこめかみ３ａ位置となるこめかみ位置パッド３１と、顔の頬骨位置４となる頬骨位置パッド３２とが薄肉部３３で連結している。
この薄肉部３３は、装着状態において目尻部分７ｃから耳６の上６ａを結ぶライン上となるように配置する。
これにより、装着状態においては、顔２と薄肉部３３間には所定の間隔からなる、眼鏡のつるを通すつる用空間３３ａを形成できる。
薄肉部３３はつる用空間３３ａを形成して、目尻部分７ｃから耳の上６ａを結ぶ線上に、眼鏡４０のつる４０ｂを収納する空間を形成している。
また図４に示すように、凸部２３は眼鏡フレーム４０ａを収納可能に隆起している。
これにより眼鏡４０をかけたままの、装着が可能となる。
【００１６】
フルフェイスタイプの顔防護面１０ｂの実施例を図３に示し、その装着状態を図５に示す。
図３（イ）は上面図を示し、図３（ロ）は正面図を示し、図３（ハ）は側面図を示す。
ベース面部２２は顔の額３位置から顔２の側面を経て顎８ａ位置までを広く覆う形状となっている。
そして凸部２３の凸部頭頂面は透明なカバー部２３ｄで形成している。
カバー部２３ｄは、凸部裾部２３ａ及びベース面部２２と一体の透明硬質樹脂で形成し、図１における凸部頭頂面の開口部を塞いでいる。
カバー部２３ｄは視界を確保しながら眼もと付近を防護する。
パッド３０ａには、使用者の顎付近にあてがう、顎位置パッド３４を設けている。
この顎位置パッド３４にて、ベース面部２２が顎８ａ位置付近でうけた衝撃を吸収する。
ベース面部２２にて顔面２を広く覆い、眼もと付近はカバー部２３ｄで覆うことで、地雷撤去作業に使用した場合に、誤って地雷が爆発した場合でも爆風から顔面を保護できる。
なお、カバー部２３ｄは凸部２３と一体的に形成してもよいが、別体として取り付けてもよい。
【００１７】
図６にベース面部２２に喉カバー部２５を設けたフルフェイスタイプの顔防護面１０ｃの実施例を示す。
喉カバー部２５は、使用者１の喉９部分のプロテクターとして作用する。
また図７に、息による曇り防止用の穴を設けた顔防護面１０ｄの実施例を示す。
図７（イ）は正面図を示し、図７（ロ）は側面図を示す。
装着時に口位置付近となるベース面部２２下面にはベース面部通気孔２２ａを複数設けている。
そして、ベース面部通気孔２２ａを覆う有孔カバー２６を取り付けている。
この有孔カバー２６には、ベース面部通気孔２６よりも細かい穴の有孔カバー通気孔２６ａをベース面部通気孔２２ａと位置をずらすように設けている。
これにより、顔防護面１０ｄに通気性が得られるため、吐く息による曇りを防止出来る。
【図面の簡単な説明】
【００１８】
【図１】ハーフフェイスタイプの顔防護面の実施例を示す。
【図２】透明面体の分解図を示す。
【図３】フルフェイスタイプの顔防護面の実施例を示す。
【図４】ハーフフェイスタイプの顔防護面の装着状態を示す。
【図５】フルフェイスタイプの顔防護面の装着状態を示す。
【図６】喉カバー部を設けた顔防護面の実施例を示す。
【図７】有孔カバーを設けた顔防護面の実施例を示す。
【図８】パッドと顔との関係の説明図を示す。
【図９】従来の顔防護面の例を示す。
【符号の説明】
【００１９】
１      使用者
２      顔
３      額
３ａ    こめかみ
４      頬骨位置
５      鼻柱
５ａ    空間
６      耳
６ａ    耳の上
７ａ、７ｂ  眼
７ｃ    目尻部分
８      口
８ａ    あご
９      喉
１０ａ  ハーフフェイスタイプ顔防護面
１０ｂ  フルフェイスタイプ顔防護面
１０ｃ  喉カバー部付きフルフェイスタイプ顔防護面
１０ｄ  有孔カバー付きフルフェイスタイプ顔防護面
１１    装着部
１１ａ  ベルト
１１ｂ  連結ベルト
１１ｃ  調整部
２０ａ、２０ｂ  透明面体
２１、２２  ベース面部
２２ａ  ベース面部通気孔
２３    凸部
２３ａ  凸部裾部
２３ｂ  凸部裾部頂部
２３ｃ  凸部頭頂面開口部（凸部頭頂面）
２３ｄ  凸部頭頂部カバー部（凸部頭頂面）
２４    ベルト取付穴
２５    喉カバー部
２６    有孔カバー
２６ａ  有効カバー通気孔
３０、３０ａ  パッド
３１    こめかみ位置パッド
３２    頬骨位置パッド
３３    薄肉部
３３ａ  眼鏡つる用空間
３４    顎位置パッド
３５ａ  フック状係止部材
３５ｂ  パイル状係止部材
４０    眼鏡
４０ａ  眼鏡フレーム
４０ｂ  眼鏡のつる
【図１】
2005270197.tif 000003
【図２】
2005270197.tif 000004
【図３】
2005270197.tif 000005
【図４】
2005270197.tif 000006
【図５】
2005270197.tif 000007
【図６】
2005270197.tif 000008
【図７】
2005270197.tif 000009
【図８】
2005270197.tif 000010
【図９】
2005270197.tif 000011